(57)【要約】【課題】本発明は、ノックアームの軸部に設ける槌先部材の内壁に空気抜き溝を形成し、密封状の空気の残留を防止し、玉の発射精度を安定させることを目的とする。【解決手段】本発明によるパチンコ発射機用打杆構造は、ノックアーム(1)の先端部(3)の軸部(4)に嵌合させる槌先部材(5)の内壁(5aA)に軸方向(A)に沿う空気抜き溝(6A)を形成し、前記軸部(4)と槌先部材(5)との間に密封状の空気溜りを形成しないようにし、玉の発射精度を安定させる構成である。【選択図】図１
2007097762.tif 000002
【特許請求の範囲】
【請求項１】
軸支部(2)により回動自在に設けられたノックアーム(1)と、前記ノックアーム(1)の先端部(3)の軸部(4)に嵌合して設けられカップ型をなす槌先部材(5)とを備え、前記槌先部材(5)でパチンコ玉を打つようにしたパチンコ発射機用打杆構造において、
前記槌先部材(5)の内壁(5aA)には空気抜き溝(6A)が形成され、前記空気抜き溝(6A)は前記槌先部材(5)の軸方向(A)に沿って形成されていることを特徴とするパチンコ発射機用打杆構造。
【請求項２】
前記槌先部材(5)は樹脂よりなることを特徴とする請求項１記載のパチンコ発射機用打杆構造。
【請求項３】
前記空気抜き溝(6A)は、直線状に形成されていることを特徴とする請求項１又は２記載のパチンコ発射機用打杆構造。
【請求項４】
前記空気抜き溝(6A)は、非直線状に形成されていることを特徴とする請求項１又は２記載のパチンコ発射機用打杆構造。
【発明の詳細な説明】
【技術分野】
【０００１】
本発明は、パチンコ発射機用打杆構造に関し、特に、槌先部材の内壁に軸方向に沿って形成された空気抜き溝を介して空気を抜くことにより、軸部と槌先部材との間に密封状態で溜る空気の存在をなくすことにより、玉の発射精度を安定させるための新規な改良に関する。
【背景技術】
【０００２】
従来、用いられていたこの種のパチンコ発射機用打杆構造としては、図４から図６で示される特許文献１の構成を挙げることができる。
すなわち、図４において、符号１で示されるものは全体形状がほぼＺ型に類似した形態のノックアームであり、このノックアーム１は軸支部２を介して図示しないパチンコ発射機の台に回動自在に設けられている。
【０００３】
前記ノックアーム１の先端部３に突出して設けられた軸部４には、図５から図６に示すように、全体形状がカップ型をなし樹脂又は金属等で形成され中空部５ａを有する槌先部材５が圧入して嵌合されている。
前記軸部４には、螺旋状をなす空気抜き用螺旋状溝６が形成され、前記槌先部材５の先端には玉打ち込み面７が形成されている。
【０００４】
従って、前述の構成において、前記軸部４に前記槌先部材５を嵌合させた状態で、図示しないパチンコ発射機を作動させて前記ノックアーム１を回動させると、槌先部材５の玉打ち込み面７にてパチンコ玉の発射を行うことができる。
【０００５】
【特許文献１】特開２００４−１２１３３６号公報
【発明の開示】
【発明が解決しようとする課題】
【０００６】
従来のパチンコ発射機用打杆構造は、以上のように構成されていたため、次のような課題が存在していた。
すなわち、空気抜き用螺旋状溝を有する軸部に槌先部材を圧入によって嵌合させると、この溝を介して槌先部材との間の空気を外部に逃がしているが、溝が螺旋状であるために、圧入時に、空気が完全に抜け切れず、この溝内に空気が密封状態で残って溜まるため、この密封状態の空気により槌先部材の弾性、反発力等が当初の設計値から変化し、玉打ち込み面でパチンコ玉の発射を行った場合、玉飛びの発射精度（飛距離、方向性等）の再現性が極端に悪くなっていた。
また、溝内に溜った空気の容積が温度変化に応じて変化し、この変化が槌先部材に対して物理的な影響を与え、所定の硬さ及び弾性で構成されている玉打ち込み面の状態を変化させることになり、前述の発射精度の再現性に悪影響を与えていた。
【課題を解決するための手段】
【０００７】
本発明によるパチンコ発射機用打杆構造は、軸支部により回動自在に設けられたノックアームと、前記ノックアームの先端部の軸部に嵌合して設けられカップ型をなす槌先部材とを備え、前記槌先部材でパチンコ玉を打つようにしたパチンコ発射機用打杆構造において、前記槌先部材の内壁には空気抜き溝が形成され、前記空気抜き溝は前記槌先部材の軸方向に沿って形成されている構成であり、また、前記槌先部材は樹脂よりなる構成であり、また、前記空気抜き溝は、直線状に形成されている構成であり、また、前記空気抜き溝は、非直線状に形成されている構成である。
【発明の効果】
【０００８】
本発明によるパチンコ発射機用打杆構造は、以上のように構成されているため、次のような効果を得ることができる。
すなわち、槌先部材の中空部の内壁に、軸方向に沿って空気抜き溝が形成されているため、槌先部材を軸部に嵌合させる際に、この軸部と槌先部材との間に存在する空気はこの空気抜き溝によって迅速に排出され、かつ、空気抜き溝が外部に連通しているため、従来のような密封状の空気の存在は避けることができ、槌先部材の形状、硬さ等の変化が大幅に少なくなり、発射精度（方向性、飛距離等）の誤差が低減され、玉飛びの調整作業効率を改善することができる。
さらに、組立作業効率の改善及び低価格化を達成することができる。
【発明を実施するための最良の形態】
【０００９】
本発明は、槌先部材の内壁に軸方向に沿って形成された空気抜き溝を介して空気を抜くことにより、軸部と槌先部材との間に密封状態で溜る空気の存在をなくすことにより、玉の発射精度を安定させるようにしたパチンコ発射機用打杆構造を提供することを目的とする。
【実施例】
【００１０】
以下、図面と共に本発明によるパチンコ発射機用打杆構造の好適な実施の形態について説明する。
尚、従来例と同一又は同等部分には同一符号を付して説明する。
図１において符号１で示されるものは、全体形状がほぼＺ型に類似した形態のノックアームであり、このノックアーム１は軸支部２を介して図示しないパチンコ発射機の台に回動自在に設けられている。
【００１１】
前記ノックアーム１の先端部３に突出して設けられた軸部４には、図２及び図３に示すように、全体形状がカップ型をなし樹脂又は金属等で形成され中空部５ａを有する槌先部材５が圧入して嵌合されている。
【００１２】
前記槌先部材５の中空部５ａの内壁５ａＡには、この槌先部材５の軸方向Ａに沿って形成された空気抜き溝６Ａが形成され、この槌先部材５の先端には端栓状に形成された玉打ち込み面７が形成されている。
【００１３】
前記空気抜き溝６Ａは、前記軸方向Ａに沿って直線状に形成されると共に、図３で示されるように、複数個（例えば、９０°毎に４個）形成されている。
尚、この空気抜き溝６Ａは、直線状に形成されていることが好適であるが、直線状のみではなく、多少曲折した非直線状とすることもできる。
【００１４】
従って、前述の構成において、前記軸部４に対して槌先部材５を圧入して嵌合させると、この軸部４と槌先部材５との間に存在する空気は、この空気抜き溝６Ａを経て外部に排気され、従来のように、密封状態で空気が残ることはない。
尚、前記空気抜き溝６Ａ内に残る空気は、この空気抜き溝６Ａの一端が図示のように外部と連通しているため、従来のような支障が発生することはない。
【産業上の利用可能性】
【００１５】
本発明は、モータ回動式のノックアームに限ることなく、自重式、ばね式等のノックアームにも適用可能である。
【図面の簡単な説明】
【００１６】
【図１】本発明によるパチンコ発射機用打杆構造を示す一部断面付き正面図である。
【図２】図１の要部の正面図である。
【図３】図２の右側面図である。
【図４】従来構成を示す一部断面付き正面図である。
【図５】図４の要部を示す正面図である。
【図６】図５の右側面図である。
【符号の説明】
【００１７】
１    ノックアーム
２    軸支部
３    先端部
４    軸部
５    槌先部材
５ａ    中空部
６Ａ    空気抜き溝
７    玉打ち込み面
５ａＡ    内壁
Ａ    軸方向
【図１】
2007097762.tif 000003
【図２】
2007097762.tif 000004
【図３】
2007097762.tif 000005
【図４】
2007097762.tif 000006
【図５】
2007097762.tif 000007
【図６】
2007097762.tif 000008